(57)【要約】【課題】簡易な構造による電力量計のミスのない並列接続作業を実現することにより、電力消費の二重計量の発生を未然に防止するとともに電力量計の並列接続作業を容易にして、適正な電力消費の正確な計量と共に電力量計の並列接続作業の容易化を図ること。【解決手段】電源からの商用電力を供給する配電線２０１〜２０３と、該商用電力を消費する負荷装置に接続する引込電線２０４〜２０６と、の間に介装されて当該消費電力を積算する電力量計１００の接続端子台１０２であって、電力量計１００、３００への配電線２０１、４０１をそれぞれ接続する電源側入力端子１１１（１１１ａ、１１１ｂ）と、配電線２０３、４０２をそれぞれ接続する電源側入力端子１１３（１１３ａ、１１３ｂ）と、を備える。【選択図】図１
2009122026.tif 000002
【特許請求の範囲】
【請求項１】
電源からの商用電力を供給する配電線と、該商用電力を消費する負荷装置に接続する引込電線と、の間に介装されて当該消費電力を積算する電力量計に該配電線と引込電線を接続する接続構造であって、
電源側の配電線を接続する電源側接続端子を複数組備えることを特徴とする電力量計の接続構造。
【請求項２】
前記電源側接続端子は、電力量計の負荷側の引込電線を接続する負荷側接続端子との並列方向に並列されて隣接位置に追加されていることを特徴とする請求項１に記載の電力量計の接続構造。
【請求項３】
前記電源側接続端子は、電力量計の負荷側の引込電線を接続する負荷側接続端子との並列方向からずれた位置に追加されていることを特徴とする請求項１に記載の電力量計の接続構造。
【請求項４】
電源からの商用電力を供給する配電線と、該商用電力を消費する負荷装置に接続する引込電線と、の間に介装されて当該消費電力を積算する電力量計に接続する接続アダプタであって、
電力量計の電源側の配電線を接続する電源側接続端子に接続させる計器側入力端子と、該計器側入力端子に導通させるとともに電源側の配電線を接続する電線側入力端子と、電力量計の負荷側の引込電線を接続する負荷側接続端子に接続させる計器側出力端子と、該計器側出力端子に導通させるとともに負荷側の引込電線を接続する電線側出力端子と、を備えており、
上記請求項１から請求項３のいずれか一項に記載の電力量計の接続構造が採用されて、前記電源側接続端子として、電線側入力端子が複数組設置されていることを特徴とする電力量計の接続アダプタ。
【請求項５】
電源からの商用電力を供給する配電線と、該商用電力を消費する負荷装置に接続する引込電線と、の間に介装されて当該消費電力を積算する電力量計に該配電線と引込電線を接続する電力量計の接続端子台であって、
電力量計の電源側の配電線を接続する電源側接続端子と、電力量計の負荷側の引込電線を接続する負荷側接続端子と、を備えており、
上記請求項１から請求項３のいずれか一項に記載の電力量計の接続構造が採用されて、電源側接続端子が複数組設置されていることを特徴とする電力量計の接続端子台。
【発明の詳細な説明】
【技術分野】
【０００１】
本発明は、電力量計の接続構造および電力量計の接続アダプタ並びに電力量計の接続端子台に関し、詳しくは、配電線から供給する商用電力をその消費側に応じた別個の電力量計で計量する場合に、その商用電力の二重計量を回避する配電線の結線接続を促すことのできるものに関する。
【背景技術】
【０００２】
従来、電源から各家庭などの負荷装置に供給する商用電力は、例えば、図８（ａ）に示すように、配電線間に電力量計（ＷＨ）を介装することにより、その負荷装置の稼動による消費電力を積算計測（計量）することによりその使用電力に応じた課金を行っている。電気事業者は、設備の有効利用を図るために、電力の使用量が少ない深夜には安価な電気料金を設定した時間帯別電気料金制度を採用し、深夜電力の利用を促している。この安価な深夜電力を利用する蓄熱装置として、例えば、給水を加熱して貯湯する電気温水器が一般に普及している。
【０００３】
このことから、安価な深夜電力を利用する電気温水器などの消費電力は、消費時間帯の関係のない電燈などの消費電力とは別に計量する必要があり（例えば、特許文献１参照）、図８（ｂ）に示すように、別個の電力量計を電源側の配電線に並列接続することが一般的に行われている。
【０００４】
なお、このような電力量計としては、使用者が電気温水器の時間設定を誤るなどした場合でも、深夜電力を確実に利用することができるように、電気温水器との間で各種情報をやり取りすることにより、時刻を修正することができるように工夫されているものが提案されている（例えば、特許文献２参照）。また、電気温水器を接続する電力量計としては、このような高性能な電力量計に限るものではなく、ＴＳ（タイムスイッチ）をその電力量計の前に介在させることにより、深夜電力を適正に利用するようにする場合もある。
【特許文献１】特開平１０−１９７５６４号公報
【特許文献２】特開２００４−２３９５２６号公報
【発明の開示】
【発明が解決しようとする課題】
【０００５】
このような従来の電力量計にあっては、並列接続する場合には、図９に示すように、電力量計を設置するケース内で、電源側の配電線の外被を剥いで結線接続することにより別個の深夜電力用の電力量計に接続する配電線を分岐させる作業を行っている。
【０００６】
しかしながら、このような従来の電力量計には、負荷側の引込電線も同様に接続されており、配電線と同様の電線材料であることから、追加する電力量計を作業者の不注意でその引込電線に結線接続してしまう虞があり、そのように結線接続すると、電気温水器が消費する夜間電力を双方の電力量計で二重計量してしまう、という問題が発生する。
【０００７】
そこで、本発明は、簡易な構造による電力量計のミスのない並列接続作業を実現することにより、電力消費の二重計量の発生を未然に防止するとともに電力量計の並列接続作業を容易にして、適正な電力消費の正確な計量と共に電力量計の並列接続作業の容易化を図ることを目的とする。
【課題を解決するための手段】
【０００８】
上記課題を解決する電力量計の接続構造の第１の発明は、電源からの商用電力を供給する配電線と、該商用電力を消費する負荷装置に接続する引込電線と、の間に介装されて当該消費電力を積算する電力量計に該配電線と引込電線を接続する接続構造であって、電源側の配電線を接続する電源側接続端子を複数組備えることを特徴とするものである。
【０００９】
この発明では、一組の電源側接続端子毎に電力量計に接続する配電線を接続することができ、電源からの電力供給経路の基幹線となる配電線を一組の電源側接続端子に接続するとともに、別の配電線を別組の電源側接続端子に接続して別個の電力量計を接続することができる。すなわち、電力量計に接続する配電線を複数組の電源側接続端子にそれぞれ並列接続することができ、電力量計をその配電線に接続することにより並列させることができる。したがって、配電線の電力量計への接続作業は、配電線の外被を剥いで分岐するのではなく、一組の電源側接続端子に配電線を接続する作業に統一することができる。
【００１０】
上記課題を解決する電力量計の接続構造の第２の発明は、上記第１の発明の特定事項に加え、前記電源側接続端子は、電力量計の負荷側の引込電線を接続する負荷側接続端子との並列方向に並列されて隣接位置に追加されていることを特徴とするものである。
【００１１】
この発明では、配電線を接続する電源側接続端子は一般に離隔する位置に配設されており、その空いているスペースに電源側接続端子を追加するだけで、大きく設計変更することなく、電源側接続端子を複数組配置することができる。したがって、容易に実施することができる。
【００１２】
上記課題を解決する電力量計の接続構造の第３の発明は、上記第１の発明の特定事項に加え、前記電源側接続端子は、電力量計の負荷側の引込電線を接続する負荷側接続端子との並列方向からずれた位置に追加されていることを特徴とするものである。
【００１３】
この発明では、配電線を接続する電源側接続端子を並列方向からずれた位置、言い換えると、前後方向にずらして立体的に追加する配置にすることにより電源側接続端子を複数組配置することができる。したがって、共通になるように結線接続する配電線同士を前後にずれる配置にすることができ、接続作業時に短絡事故を発生させないように位相の異なる配電線間の間隔を確保することができる。この配置での接続作業では、先に設置する電力量計には、追加する電力量計の接続作業の妨げにならない位置の電源側接続端子から配電線を接続することにより、後付けの電力量計はその空いている電源側接続端子に配電線を容易に接続して並列させることができる。
【００１４】
上記課題を解決する電力量計の接続アダプタの第１の発明は、電源からの商用電力を供給する配電線と、該商用電力を消費する負荷装置に接続する引込電線と、の間に介装されて当該消費電力を積算する電力量計に接続する接続アダプタであって、電力量計の電源側の配電線を接続する電源側接続端子に接続させる計器側入力端子と、該計器側入力端子に導通させるとともに電源側の配電線を接続する電線側入力端子と、電力量計の負荷側の引込電線を接続する負荷側接続端子に接続させる計器側出力端子と、該計器側出力端子に導通させるとともに負荷側の引込電線を接続する電線側出力端子と、を備えており、上記の第１から第３のいずれか一つの発明の電力量計の接続構造が採用されて、前記電源側接続端子として、電線側入力端子が複数組設置されていることを特徴とするものである。
【００１５】
この発明では、電力量計の電源側接続端子および負荷側接続端子を計器側入力端子と計器側出力端子にそれぞれ接続するとともに、電線側入力端子および電線側出力端子に電源側の配電線と負荷側の引込電線を接続して、既設の電力量計の前段に接続アダプタを設置することにより、別個の電力量計の電線側入力端子に接続する配電線を空いている電線側入力端子に接続するだけで、電源からの電力供給経路の基幹線となる配電線を接続する既設の電力量計に別個の電力量計を追加して並列接続することができる。したがって、既設の電力量計を交換することなく、あるいは、電力量計の設計変更をすることなく、電力量計を容易かつ確実に並列接続して追加することができる。
【００１６】
上記課題を解決する電力量計の接続端子台の第１の発明は、電源からの商用電力を供給する配電線と、該商用電力を消費する負荷装置に接続する引込電線と、の間に介装されて当該消費電力を積算する電力量計に該配電線と引込電線を接続する電力量計の接続端子台であって、電力量計の電源側の配電線を接続する電源側接続端子と、電力量計の負荷側の引込電線を接続する負荷側接続端子と、を備えており、上記の第１から第３のいずれか一つの発明の電力量計の接続構造が採用されて、電源側接続端子が複数組設置されていることを特徴とするものである。
【００１７】
この発明では、別個の電力量計の電線側入力端子に接続する配電線を空いている電線側入力端子に接続するだけで、電源からの電力供給経路の基幹線となる配電線を接続する既設の電力量計に別個の電力量計を追加して並列接続することができる。したがって、上記の接続アダプタを電力量計の前段に設置することなく、電力量計を容易かつ確実に並列接続して追加することができる。
【発明の効果】
【００１８】
このように本発明によれば、複数組の電源側接続端子に電力量計毎の配電線をそれぞれ接続することができ、電源からの電力供給経路の基幹線となる配電線に複数台の電力量計を並列接続することができるので、電力量計を並列接続する作業として、配電線の外被を剥いで分岐接続する作業を禁止して、予め準備されている電源側接続端子毎に配電線を接続する作業に変更することができる。したがって、配電線か引込電線か確認することなく、電力量計の配電線をミスなく追加接続することができ、誤って引込電線に配電線を分岐接続してしまうことを制限することができる。この結果、追加する電力量計の配電線を既設の電力量計の引込電線に分岐接続して二重計量の配線にしてしまうことをなくすとともに電力量計を並列接続して追加する作業を容易化することができる。
【発明を実施するための最良の形態】
【００１９】
以下、本発明の最良の実施形態を図面に基づいて説明する。図１および図２は本発明に係る電力量計の接続構造に設計されている接続端子台を備える電力量計の第１実施形態を示す図である。
【００２０】
図１において、電力量計１００は、従来の電力量計と同様に、消費された供給電力を積算する本体部１０１と、商用電源と各家庭などの負荷装置との間の電線２０１〜２０６の途中に本体部１０１が介在するように接続する接続端子台１０２と、を備えている。接続端子台１０２には、商用電源からの供給電力を本体部１０１に入力するための配電線（電源側配電線）２０１〜２０３を本体部１０１に接続する入力端子（電源側接続端子）１１１〜１１３と、負荷装置側に供給電力を出力するための引込電線（引込側配電線）２０４〜２０６を本体部１０１に接続する出力端子（負荷側接続端子）１１４〜１１６と、が配設されている。この接続端子台１０２は、各端子１１１〜１１６の下端面側に電線の先端側の被覆を剥いだ導電線を差込可能に不図示の差込穴が開口させており、その差込穴に差し込んだ導電線を２つの締付ネジ１２１でそれぞれ締め付けることにより導通接続させることができるようになっている（図３、図４を参照）。
【００２１】
この電力量計１００の接続端子台１０２は、従来の電力量計では図２（ｂ）に示すように、商用電源からの配電線２０１〜２０３を接続する際に短絡事故を起こさないように、入力端子１１１〜１１３の間にスペースＳを設けていることを利用して、図２（ａ）に示すように、その入力端子１１１ａ、１１３ａに隣接する並列位置にもう一組の入力端子１１１ｂ、１１３ｂが配設されている。この入力端子１１１ａ、１１１ｂと入力端子１１３ａ、１１３ｂは、電力量計毎に接続する配電線を共通接続することができるように、一体の電極材料により、あるいは導通接続されている別個の電極材料により作製されている。なお、この接続端子台１０２の両側には、不図示の絶縁カバーを取り付けるためのネジ穴１０５が配設されており、その絶縁カバーで各端子１１１〜１１６を覆うことにより外部に露出して感電・短絡事故が起こることを防止する。
【００２２】
これにより、電力量計１００では、接続端子台１０２の入力端子１１１ａ、１１２、１１３ａに商用電源からの配電線（基幹線）２０１〜２０３を接続するとともに、出力端子１１４〜１１６には、各線間にＡＣ１００Ｖの電燈などの家庭用負荷装置を接続する引込電線２０４〜２０６を接続することができ、また、その接続端子台１０２の入力端子１１１ｂ、１１３ｂには、単相２線用の電力量計３００の接続端子台３０２の入力端子３１１、３１２に接続する配電線４０１、４０２を接続することができる。
【００２３】
したがって、例えば、深夜電力を利用する電気温水器を設置するために、ＡＣ２００Ｖ用の本体部３０１を備える電力量計３００を既設の電力量計１００に並列接続する際には、その電力量計１００の接続端子台１０２に予め準備されていて空いている入力端子１１１ｂ、１１３ｂに、その電力量計３００の接続端子台３０２の入力端子３１１、３１２に接続する配電線４０１、４０２をそのまま接続して電力供給する配電線を分岐させることができ、その接続端子台３０２の出力端子３１４、３１５に引込電線４０４、４０５を接続して不図示の電気温水器にＡＣ２００Ｖの深夜電力を供給するとともに、その電力消費を電力量計３００で積算計測することができる。
【００２４】
このように本実施形態においては、電力量計１００の接続端子台１０２の入力端子１１１ａ、１１１ｂ、１１３ａ、１１３ｂにはそれぞれ配電線２０１、２０３、４０１、４０２を接続して電力量計３００を追加して並列接続することができ、配電線２０１、２０３の外被を剥いで結線接続するような作業を禁止して、締付ネジ１２１を締め付けて差し込んだ電線の導電線を導通接続するだけの簡易な作業に変更して統一することができる。したがって、電力量計３００の配電線４０１、４０２を接続する相手として、配電線２０１〜２０３側と勘違いして引込電線２０４〜２０６側に結線接続する作業を行って二重計量する配線にしてしまうことをなくすことができ、電力量計１００、３００毎による正確な計量と共にその電力量計３００を並列接続する作業を容易化することができる。
【００２５】
ここで、本実施形態では、単相２線用の電力量計３００を電力量計１００に並列接続することができるように接続端子台１０２に入力端子１１１ａ、１１１ｂ、１１２、１１３ａ、１１３ｂを配列する一例を説明するが、これに限るものではなく、入力端子１１２も同様な端子構造にして３相３線用の電力量計１００を並列接続して連続させることができるようにしてもよいことは言うまでもない。さらに、本実施形態では、一つの入力端子に２本の配電線を接続可能な構造に設計する場合を一例にして説明するが、これに限るものではなく、３本以上の配電線を接続可能に設計してもよいことは言うまでもない。
【００２６】
次に、図３は本発明に係る電力量計の接続構造に設計されている接続端子台を備える電力量計の第２実施形態を示す図である。ここで、本実施形態は、上述第１実施形態と略同様に構成されていることから、同様の構成には同一の符号を付して特徴部分を説明する（以下で説明する他の実施形態においても同様）。
【００２７】
図３において、入力端子１３１、１３３は、上述第１実施形態における入力端子１１１、１１３に代えて電力量計１００の接続端子台１０２に配設されており、追加されている入力端子１３１ｂ、１３３ｂは、入力端子１３１ａ、１１２、１３３ａや出力端子１１４〜１１６の並列方向から前面側と上方にずれた位置に設置されている。
【００２８】
この入力端子１３１、１３３は、他の入力端子１１２や出力端子１１４〜１１６と同様に、接続端子台１０２の下端面側に電線の先端側の被覆を剥いだ導電線を差込可能に差込穴１３１ｈ、１３３ｈを開口させており、その差込穴に差し込んだ導電線を２つの締付ネジ１２１でそれぞれ締め付けることにより導通接続させることができるようになっている。
【００２９】
これにより、電力量計１００に配電線２０１〜２０３や引込電線２０４〜２０６を接続する際には、並列されている入力端子１３１ａ、１１２、１３３ａや出力端子１１４〜１１６のそれぞれの差込穴内に、従来と同様に外被を剥いだ導電線を差し込んで締付ネジ１２１で締め付ける作業を行うことにより電力量計１００の設置作業を行うことができ、電力量計３００の設置作業を行う際には、使用済みの入力端子１３１ａ、１３３ａの前面側および上側に位置する入力端子１３１ｂ、１３３ｂの差込穴１３１ｈ、１３３ｈに配電線４０１、４０２の導電線を差し込んで締付ネジ１２１で締め付けることによりその接続作業を行うことができる。
【００３０】
したがって、電力量計１００に接続した配電線２０１、２０３が電力量計３００への配電線４０１、４０２の差込・締付作業の邪魔になってしまうことはなく、また、配電線２０１〜２０３の接続箇所を誤ってしまう虞を少なくすることができる。
【００３１】
このように本実施形態においては、上述第１実施形態による作用効果に加えて、配電線２０１〜２０３の接続作業時に入力端子１３１、１１２、１３３の差込穴を誤るなどして短絡事故を発生させてしまうことを未然に防止するとともに、その差込穴間の間隔を確保して短絡事故の発生をより少なくすることができる。
【００３２】
次に、図４は本発明に係る電力量計の接続構造に設計されている接続端子台を備える電力量計の第３実施形態を示す図である。
【００３３】
図４において、入力端子１４１、１４３は、上述第２実施形態における入力端子１３１、１３３に代えて電力量計１００の接続端子台１０２に配設されており、追加されている入力端子１４１ｂ、１４３ｂは、入力端子１４１ａ、１１２、１４３ａや出力端子１１４〜１１６の並列方向から前面側のみにずれた位置（上下方向に同一位置）に戻されてコンパクトに設置されている。
【００３４】
この入力端子１４１、１４３は、他の入力端子１１２や出力端子１１４〜１１６と同様に、接続端子台１０２の下端面側に電線の先端側の被覆を剥いだ導電線を差込可能に差込穴１４１ｈ、１４３ｈを開口させており、その差込穴に差し込んだ導電線を２つの締付ネジ１２１、１２４でそれぞれ締め付けることにより導通接続させることができるようになっている。
【００３５】
ここで、入力端子１４１、１４３は、入力端子１４１ａ、１４１ｂと入力端子１４３ａ、１４３ｂがそれぞれで重なる状態で設置されていることから、締付ネジ１２１、１２４用のネジ穴１２１ａ、１２４ａが共通の位置に穿孔刻設されており、前面側に位置する入力端子１４１ｂ、１４３ｂには入力端子１４１ａ、１４３ａのネジ穴１２４ａに対応する位置に締付ネジ１２４を挿通可能な貫通穴１２４ｂが穿孔されているとともに、その締付ネジ１２４としてはヘッド部が省略されていて貫通穴１２４ｂ内に差し込まれた状態でネジ穴１２４ａに螺合する埋め込みネジが採用されている。
【００３６】
これにより、電力量計１００に配電線２０１〜２０３や引込電線２０４〜２０６を接続する際には、並列されている入力端子１４１ａ、１１２、１４３ａや出力端子１１４〜１１６のそれぞれの差込穴内に、従来と同様に外被を剥いだ導電線を差し込んで締付ネジ１２４で締め付ける作業を行うことにより電力量計１００の設置作業を行うことができ、電力量計３００の設置作業を行う際には、使用済みの入力端子１４１ａ、１４３ａの前面側に位置する入力端子１４１ｂ、１４３ｂの差込穴１４１ｈ、１４３ｈに配電線４０１、４０２の導電線を差し込んで締付ネジ１２１で締め付けることによりその接続作業を行うことができる。
【００３７】
したがって、電力量計１００に接続した配電線２０１、２０３が電力量計３００への配電線４０１、４０２の差込・締付作業の邪魔になってしまうことはなく、また、配電線２０１〜２０３の接続箇所を誤ってしまう虞を少なくすることができる。
【００３８】
このように本実施形態においては、上述第２実施形態による作用効果を同様に得ることができるとともに、入力端子１４１ｂ、１４３ｂを追加するために接続端子台１０２を上下方向に広げる必要がなく、コンパクトに設計することができる。
【００３９】
次に、図５は本発明に係る電力量計の接続構造に設計されている接続端子台を備える電力量計の第３実施形態を示す図である。
【００４０】
図５において、入力端子１１１ｃ、１１３ｃは、上述第１実施形態における入力端子１１１ｂ、１１３ｂに代えて電力量計１００の接続端子台１０２に配設されており、入力端子１１１ａ、１１２、１１３ａや出力端子１１４〜１１６が並列されて下端面に電線の導電線を差し込む差込穴が開口されているのに対して、その接続端子台１０２の両側側面にその差込穴を開口させて差し込まれた導電線を２つの締付ネジ１２１でそれぞれ締め付けることにより導通接続させることができるようになっている。なお、この入力端子１１１ｃ、１１３ｃは、入力端子１１１ａ、１１３ａと内部電極１１１ｄ、１１３ｄによりそれぞれ導通接続されている。
【００４１】
これにより、電力量計１００に配電線２０１〜２０３や引込電線２０４〜２０６を接続する際には、並列されている入力端子１１１ａ、１１２、１１３ａや出力端子１１４〜１１６のそれぞれの差込穴内に、従来と同様に外被を剥いだ導電線を差し込んで締付ネジ１２４で締め付ける作業を行うことにより電力量計１００の設置作業を行うことができ、電力量計３００の設置作業を行う際には、その接続端子台１０２の両側面側に位置する入力端子１１１ｃ、１１３ｃの差込穴に配電線４０１、４０２の導電線を差し込んで締付ネジ１２１で締め付けることによりその接続作業を行うことができる。
【００４２】
したがって、電力量計１００に接続した配電線２０１、２０３が電力量計３００への配電線４０１、４０２の差込・締付作業の邪魔になってしまうことはなく、また、配電線２０１〜２０３の接続箇所を誤ってしまう虞を少なくすることができる。
【００４３】
このように本実施形態においては、上述第１実施形態による作用効果を同様に得ることができるとともに、配電線２０１〜２０３の接続作業時に入力端子１１１ｃ、１１２、１１３ｃの差込穴を誤るなどして短絡事故を発生させてしまうことを未然に防止するとともに、その差込穴間の間隔を確保して短絡事故の発生をより少なくすることができる。
【００４４】
次に、図６は本発明に係る電力量計の接続構造に設計されている接続アダプタの第１実施形態を示す図である。
【００４５】
図６において、接続アダプタ１０は、従来の電力量計の接続端子台に配設されている入力端子および出力端子にそれぞれ対応して不図示の電線により接続する計器側入力端子１１〜１３および計器側出力端子１４〜１６が配設されているとともに、上述第１実施形態と同様な構造に設計されている電源側入力端子１１１〜１１３と電源側出力端子１１４〜１１６が配設されており、この計器側入力端子１１〜１３は電源側入力端子１１１〜１１３にそれぞれ対応して導通接続されているとともに、計器側出力端子１４〜１６は電源側出力端子１１４〜１１６にそれぞれ導通接続されている。なお、この接続アダプタ１０の両側には、接続端子台１０２と同様に、不図示の絶縁カバーを取り付けるためのネジ穴１９が配設されており、その絶縁カバーで各端子１１〜１６、１１１〜１１６を覆うことにより外部に露出して感電・短絡事故が起こることを防止する。
【００４６】
これにより、接続アダプタ１０は、従来の電力量計の前段に設置してその接続端子台に計器側入力端子１１〜１３および計器側出力端子１４〜１６を接続することにより、上述第１実施形態の電力量計１００の接続端子台１０２と同様に、電源側入力端子１１１〜１１３と電源側出力端子１１４〜１１６をその従来の電力量計に備えさせることができる。
【００４７】
したがって、既設の電力量計を上述第１実施形態の電力量計１００に交換することなく、接続アダプタ１０を設置するだけで、電源側入力端子１１１ａ、１１２、１１３ａに商用電源からの配電線２０１〜２０３を接続するとともに、電源側入力端子１１１ｂ、１１３ｂには電力量計３００の接続端子台３０２の電源側入力端子３１１、３１２に接続する配電線４０１、４０２を接続することができる。
【００４８】
このように本実施形態においては、従来の電力量計が設置されている場合でも接続アダプタ１０をその前段に設置するだけで、あるいは、電力量計の設計変更をすることなく、上述第１実施形態による作用効果を得ることができ、その既設の電力量計に電力量計３００を並列接続して、不図示の電気温水器に二重計量することなく深夜電力を供給することができる。
【００４９】
ここで、上述実施形態では、電源側入力端子１１１ａ、１１１ｂ、１１３ａ、１１３ｂ、１３１ａ、１３１ｂ、１３３ａ、１３３ｂ、１４１ａ、１４１ｂ、１４３ａ、１４３ｂをそれぞれ隣接位置に配設しているが、これに限るものではなく、例えば、図７に示すように、従来の電力量計の接続端子台１０２に配設されている電源側入力端子２１〜２３および電源側出力端子２４〜２６に加えて、その電源側入力端子２１、２３に導通接続されている電源側入力端子２７、２８を隣接領域に別個に配設してもよく、深夜電力用の電力量計３００の接続端子台３０２の電源側入力端子３１１、３１２に接続する配電線４０１、４０２をその電源側入力端子２７、２８に接続するようにしてもよい。この場合でも、同様に、不図示の電気温水器を二重計量することがないように電力量計３００を並列接続することができるが、電源側入力端子２７、２８を電源側入力端子２１、２３に導通接続する回路を追加する必要があることから、上述実施形態の構造を採用する方が好ましい。
【産業上の利用可能性】
【００５０】
これまで本発明の一実施形態について説明したが、本発明は上述の実施形態に限定されず、その技術的思想の範囲内において種々異なる形態にて実施されてよいことは言うまでもない。
【図面の簡単な説明】
【００５１】
【図１】本発明に係る電力量計の接続構造に設計されている接続端子台を備える電力量計の第１実施形態を示す図であり、その概略全体構成を示す結線ブロックである。
【図２】その接続端子台を示す図であり、（ａ）はその接続端子の配列構成を示す平面図、（ｂ）はその従来の接続端子台における配列構成を示す平面図である。
【図３】本発明に係る電力量計の接続構造に設計されている接続端子台を備える電力量計の第２実施形態を示す図であり、その接続端子の構造を示す縦断面図である。
【図４】本発明に係る電力量計の接続構造に設計されている接続端子台を備える電力量計の第３実施形態を示す図であり、その接続端子の構造を示す縦断面図である。
【図５】本発明に係る電力量計の接続構造に設計されている接続端子台を備える電力量計の第４実施形態を示す図であり、その接続端子の配列構成を示す平面図である。
【図６】本発明に係る電力量計の接続構造に設計されている接続アダプタの第１実施形態を示す図であり、その接続端子の配列構成を示す平面図である。
【図７】上記の実施形態における接続端子の配列構成の他の態様を示す平面図である。
【図８】従来の電力量計の接続を示す図であり、（ａ）は単独での接続を示す結線図、（ｂ）は電力量計を追加する場合の結線図である。
【図９】従来の電力量計を追加する場合の結線接続を示す状態図である。
【符号の説明】
【００５２】
１０……接続アダプタ    １１〜１３……計器側入力端子    １４〜１６……計器側出力端子    ２１〜２３、２７、２８、１１１〜１１３、１１１ａ、１１１ｂ、１１１ｃ、１１３ａ、１１３ｂ、１１３ｃ、１３１、１３１ａ、１３１ｂ、１３３、１３３ａ、１３３ｂ、１４１ａ、１４１ｂ、１４３ａ、１４３ｂ、３１１、３１２、……電源側入力端子    ２４〜２６、１１４〜１１６、３１５、３１６……電源側出力端子    １００、３００……電力量計    １０１、３０１……本体部    １０２、３０２……接続端子台    １１１ｄ、１１３ｄ……内部電極    １２１、１２４……締付ネジ    １２４ｂ……貫通穴    １３１ｈ、１３３ｈ、１４１ｈ、１４３ｈ……差込穴    ２０１〜２０６、４０１、４０２……配電線    ２０４〜２０６、４０４、４０５……引込電線
【図１】
2009122026.tif 000003
【図２】
2009122026.tif 000004
【図３】
2009122026.tif 000005
【図４】
2009122026.tif 000006
【図５】
2009122026.tif 000007
【図６】
2009122026.tif 000008
【図７】
2009122026.tif 000009
【図８】
2009122026.tif 000010
【図９】
2009122026.tif 000011